(57)【要約】【課題】本発明は絨毯洗浄機を開示した。【解決手段】洗浄箱を含み、前記洗浄箱の中には洗浄チャンバが設けられ、前記洗浄チャンバの左右端の内壁には送り挟み部品が対称的に設置され、前記送り挟み部品が絨毯の設備内外での搬送を完成でき、且つ、適宜な位置に搬送する時に絨毯を挟み、洗浄過程において絨毯の変位を防止し、本発明設備は構成が簡単で、使用が便利で、使用する時、絨毯を設備の入口に置き、設備は自動的に絨毯を内部に搬送し、適宜な位置まで搬送すると絨毯をしっかり挟み、しっかり挟んだと同時に絨毯に対して洗い流しや叩き等の一連の操作を行い、絨毯の汚れ等を水流により落とし、洗浄完了後、設備が絨毯を設備の外まで搬送し、設備の安定性を効果的に増加する。【選択図】図１
2020171633.tif 000002
【特許請求の範囲】
【請求項１】
洗浄箱を含み、前記洗浄箱の中には前後に貫通する洗浄チャンバが設けられ、前記洗浄チャンバの左右端の内壁には送り挟み部品が対称的に設置され、前記送り挟み部品が絨毯の設備内外での搬送を完成でき、且つ、適宜な位置に搬送する時に絨毯を挟み、洗浄過程において絨毯の変位を防止し、前記洗浄チャンバの上端にはクランク軸チャンバが設けられ、前記クランク軸チャンバの左端には上ウォームギヤチャンバが設けられ、前記クランク軸チャンバの間にはたたき部品が設けられ、前記たたき部品が絨毯を洗浄する時に絨毯をたたくことができ、洗浄の過程において絨毯に絡んだゴミ等を取り除くことができ、前記洗浄チャンバの下端内壁には左右対称のギヤ伝動チャンバが連通して設置され、前記ギヤ伝動チャンバの左端には前記洗浄箱の中に位置する下ウォームギヤチャンバが設けられ、前記ギヤ伝動チャンバの中には洗い流し部品が設けられ、前記洗い流し部品が絨毯に高圧水を噴き出すことができ、絨毯に対してクリーニング作用を果たすことを特徴とする絨毯洗浄機。
【請求項２】
前記送り挟み部品は、前記洗浄チャンバの左右内壁に設置され、且つ、互いに対称となる安定チャンバを含み、前記安定チャンバの中には安定ブロックが上下にスライドできるように係合連結され、前記安定ブロックの上端面には前記洗浄箱とスライドできるように係合連結される安定ロッドが固定的に連結され、前記安定ブロックの上側と前記安定チャンバの頂側内壁との間には第一ばねが連結され、前記安定チャンバの下端内壁にはスライドチャンバが連通して設置され、前記スライドチャンバの右端内壁には上挟みブロックチャンバが連通して設けられ、前記スライドチャンバには前記安定ブロックと当接される押しスライダがスライドできるように連結され、前記押しスライダのうち対称中心に近い側には前記洗浄チャンバの前後端壁とスライドできるように係合連結される下押圧ブロックが設けられ、前記安定チャンバのうち対称中心に近い端には伝動輪チャンバが固定的に連結され、前記伝動輪チャンバの中には前から後ろに陳列で分布され、且つ、前記洗浄チャンバの中まで挿入する三組の送り輪軸が回転できるように係合連結され、前記送り輪軸には前記伝動輪チャンバの中に位置するタイミングプーリが設けられ、前記タイミングプーリの間にはタイミングベルトが動力が伝達できるように連結され、前記送り輪軸には前記タイミングプーリのうち対称中心から離れている端に位置する纏わり輪が設けられ、前記纏わり輪と前記押しスライダとの間には纏わりベルトが固定的に連結され、前記送り輪軸には前記洗浄チャンバの中に位置する送り輪が設けられ、前記伝動輪チャンバのうち対称中心から離れている側の内壁には中間の前記送り輪軸と動力が伝達できるように連結されることができる送り挟みモータが嵌め込むように設置され、前記上挟みブロックチャンバの上端にはスライドロッドチャンバが連通して設置され、前記スライドロッドチャンバの中にはスライドロッドがスライドできるように係合連結され、前記スライドロッドの下端末端には上挟みブロックが設けられ、前記上挟みブロックの上側と前記上挟みブロックチャンバの頂端内壁との間には第二ばねが連結されることを特徴とする請求項１に記載の絨毯洗浄機。
【請求項３】
前記たたき部品は、前記上ウォームギヤチャンバの上端壁に嵌め込むように設置される作動モータを含み、前記作動モータの下側には上下に伸びており前記下ウォームギヤチャンバの中まで挿入するウォームが動力が伝達できるように連結され、前記クランク軸チャンバの中には左右に伸びており前記上ウォームギヤチャンバの中まで挿入するクランク軸が回転できるように係合連結され、前記クランク軸には前記ウォームと噛合連結されることができる上ウォームホイールが設けられ、前記クランク軸には前記クランク軸チャンバの中に位置するクランク軸回転ブロックが回転できるように係合連結され、前記クランク軸回転ブロックの下端面には前記クランク軸チャンバの中に位置するコネクティングロッドが回転できるように係合連結され、前記クランク軸チャンバの底端の内壁には上下に伸びているたたきスライダがスライドできるように連結され、前記たたきスライダと前記コネクティングロッドとの間がヒンジにより連結されることを特徴とする請求項１に記載の絨毯洗浄機。
【請求項４】
前記洗い流し部品は、前記ギヤ伝動チャンバの中に回転できるように係合連結され、且つ、左右に伸びていて前記下ウォームギヤチャンバの中まで挿入する伝動軸を含み、前記伝動軸には前記ウォームと噛合連結できる下ウォームホイールが設けられ、前記伝動軸には前記ギヤ伝動チャンバの中に位置する下押圧ブロックが左右対称的に設けられ、前記ギヤ伝動チャンバのうち対称中心から離れている側の内壁には前記下押圧ブロックと噛み合って連結される回転盤が回転できるように係合連結され、前記回転盤のうち対称中心に近い側には凸ブロックが固定的に連結され、前記ギヤ伝動チャンバの底端の内壁には前記洗浄箱とスライドできるように係合連結される流入ブロックが設置され、前記流入ブロックには流入引っ掛かりブロックが連通して設置され、前記流入引っ掛かりブロックの上端には流出ブロックが連通して設置され、前記流出ブロックのうち対称中心から離れている端面には固定ブロックが固定的に連結され、前記固定ブロックの中には前記凸ブロックとスライドできるように係合連結される凸ブロックスライド溝が設けられることを特徴とする請求項１又は請求項３に記載の絨毯洗浄機。
【発明の詳細な説明】
【技術分野】
【０００１】
本発明はクリーニング分野を取り上げて、具体的には絨毯洗浄機である。
【背景技術】
【０００２】
社会の発展につれて、住宅、ホテル、レストランや会議室等の多くの所は絨毯により装飾を施し、絨毯は騒音を減らすことができ、断熱でき、また足触りを改善でき、滑って転ぶことを防止できる等の作用を有し、絨毯が使用される過程の中、埃、垢や動物の毛等がよく絨毯の表面に落ち、絨毯は特別な属性があるため、洗濯機で洗うことができなく、しかし、手で洗うのが非常に面倒くさいので、絨毯洗浄機を設計することが非常に必要であり、本発明設備はこの問題を効果的に解決できる。
【先行技術文献】
【特許文献】
【０００３】
【特許文献１】中国特許出願公開第107260076号明細書
【発明の概要】
【発明が解決しようとする課題】
【０００４】
本発明は絨毯洗浄機を提供し、現有技術における上記欠点を解消することを目的とする。
【課題を解決するための手段】
【０００５】
本発明により、本発明設備の絨毯洗浄機は、洗浄箱を含み、前記洗浄箱の中には前後に貫通する洗浄チャンバが設けられ、前記洗浄チャンバの左右端の内壁には送り挟み部品が対称的に設置され、前記送り挟み部品が絨毯の設備内外での搬送を完成でき、且つ、適宜な位置に搬送する時に絨毯を挟み、洗浄過程において絨毯の変位を防止し、前記洗浄チャンバの上端にはクランク軸チャンバが設けられ、前記クランク軸チャンバの左端には上ウォームギヤチャンバが設けられ、前記クランク軸チャンバの間にはたたき部品が設けられ、前記たたき部品が絨毯を洗浄する時に絨毯をたたくことができ、洗浄の過程において絨毯に絡んだゴミ等を取り除くことができ、前記洗浄チャンバの下端内壁には左右対称のギヤ伝動チャンバが連通して設置され、前記ギヤ伝動チャンバの左端には前記洗浄箱の中に位置する下ウォームギヤチャンバが設けられ、前記ギヤ伝動チャンバの中には洗い流し部品が設けられ、前記洗い流し部品が絨毯に高圧水を噴き出すことができ、絨毯に対してクリーニング作用を果たす。
【０００６】
更の技術プランとしては、前記送り挟み部品は、前記洗浄チャンバの左右内壁に設置され、且つ、互いに対称となる安定チャンバを含み、前記安定チャンバの中には安定ブロックが上下にスライドできるように係合連結され、前記安定ブロックの上端面には前記洗浄箱とスライドできるように係合連結される安定ロッドが固定的に連結され、前記安定ブロックの上側と前記安定チャンバの頂側内壁との間には第一ばねが連結され、前記安定チャンバの下端内壁にはスライドチャンバが連通して設置され、前記スライドチャンバの右端内壁には上挟みブロックチャンバが連通して設けられ、前記スライドチャンバには前記安定ブロックと当接される押しスライダがスライドできるように連結され、前記押しスライダのうち対称中心に近い側には前記洗浄チャンバの前後端壁とスライドできるように係合連結される下押圧ブロックが設けられ、前記安定チャンバのうち対称中心に近い端には伝動輪チャンバが固定的に連結され、前記伝動輪チャンバの中には前から後ろに陳列で分布され、且つ、前記洗浄チャンバの中まで挿入する三組の送り輪軸が回転できるように係合連結され、前記送り輪軸には前記伝動輪チャンバの中に位置するタイミングプーリが設けられ、前記タイミングプーリの間にはタイミングベルトが動力が伝達できるように連結され、前記送り輪軸には前記タイミングプーリのうち対称中心から離れている端に位置する纏わり輪が設けられ、前記纏わり輪と前記押しスライダとの間には纏わりベルトが固定的に連結され、前記送り輪軸には前記洗浄チャンバの中に位置する送り輪が設けられ、前記伝動輪チャンバのうち対称中心から離れている側の内壁には中間の前記送り輪軸と動力が伝達できるように連結されることができる送り挟みモータが嵌め込むように設置され、前記上挟みブロックチャンバの上端にはスライドロッドチャンバが連通して設置され、前記スライドロッドチャンバの中にはスライドロッドがスライドできるように係合連結され、前記スライドロッドの下端末端には上挟みブロックが設けられ、前記上挟みブロックの上側と前記上挟みブロックチャンバの頂端内壁との間には第二ばねが連結される。
【０００７】
更の技術プランとしては、前記たたき部品は、前記上ウォームギヤチャンバの上端壁に嵌め込むように設置される作動モータを含み、前記作動モータの下側には上下に伸びており前記下ウォームギヤチャンバの中まで挿入するウォームが動力が伝達できるように連結され、前記クランク軸チャンバの中には左右に伸びており前記上ウォームギヤチャンバの中まで挿入するクランク軸が回転できるように係合連結され、前記クランク軸には前記ウォームと噛合連結されることができる上ウォームホイールが設けられ、前記クランク軸には前記クランク軸チャンバの中に位置するクランク軸回転ブロックが回転できるように係合連結され、前記クランク軸回転ブロックの下端面には前記クランク軸チャンバの中に位置するコネクティングロッドが回転できるように係合連結され、前記クランク軸チャンバの底端の内壁には上下に伸びているたたきスライダがスライドできるように連結され、前記たたきスライダと前記コネクティングロッドとの間がヒンジにより連結される。
【０００８】
更の技術プランとしては、前記洗い流し部品は、前記ギヤ伝動チャンバの中に回転できるように係合連結され、且つ、左右に伸びていて前記下ウォームギヤチャンバの中まで挿入する伝動軸を含み、前記伝動軸には前記ウォームと噛合連結できる下ウォームホイールが設けられ、前記伝動軸には前記ギヤ伝動チャンバの中に位置する下押圧ブロックが左右対称的に設けられ、前記ギヤ伝動チャンバのうち対称中心から離れている側の内壁には前記下押圧ブロックと噛み合って連結される回転盤が回転できるように係合連結され、前記回転盤のうち対称中心に近い側には凸ブロックが固定的に連結され、前記ギヤ伝動チャンバの底端の内壁には前記洗浄箱とスライドできるように係合連結される流入ブロックが設置され、前記流入ブロックには流入引っ掛かりブロックが連通して設置され、前記流入引っ掛かりブロックの上端には流出ブロックが連通して設置され、前記流出ブロックのうち対称中心から離れている端面には固定ブロックが固定的に連結され、前記固定ブロックの中には前記凸ブロックとスライドできるように係合連結される凸ブロックスライド溝が設けられる。
【発明の効果】
【０００９】
本発明の有益効果は：本発明設備は構成が簡単で、使用が便利で、使用する時、絨毯を設備の入口に置き、設備は自動的に絨毯を内部に搬送し、適宜な位置まで搬送すると絨毯をしっかり挟み、しっかり挟んだと同時に絨毯に対して洗い流しや叩き等の一連の操作を行い、絨毯の汚れ等を水流により落とし、洗浄完了後、設備が絨毯を設備の外まで搬送し、設備の安定性を効果的に増加する。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の絨毯洗浄機の使用装置の全体構成模式図
【図２】図２は図１の中の「Ａ−Ａ」の拡大模式図
【図３】図３は図２の中の「Ｂ−Ｂ」方向の模式図
【図４】図４は図１の中の「Ｃ−Ｃ」の拡大模式図
【図５】図５は図４の中の「Ｄ−Ｄ」方向の模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１−５が示すように、便利に叙述するために、現在は後文に出る方位を下記の通りに規定する：後文に出る上下左右前後方向は図１本体の投影関係の上下左右前後方向と一致しており、本発明の絨毯洗浄機は、洗浄箱１００を含み、前記洗浄箱１００の中には前後に貫通する洗浄チャンバ１１０が設けられ、前記洗浄チャンバ１１０の左右端の内壁には送り挟み部品が対称的に設置され、前記送り挟み部品が絨毯の設備内外での搬送を完成でき、且つ、適宜な位置に搬送する時に絨毯を挟み、洗浄過程において絨毯の変位を防止し、前記洗浄チャンバ１１０の上端にはクランク軸チャンバ１０８が設けられ、前記クランク軸チャンバ１０８の左端には上ウォームギヤチャンバ１０３が設けられ、前記クランク軸チャンバ１０８の間にはたたき部品が設けられ、前記たたき部品が絨毯を洗浄する時に絨毯をたたくことができ、洗浄の過程において絨毯に絡んだゴミ等を取り除くことができ、前記洗浄チャンバ１１０の下端内壁には左右対称のギヤ伝動チャンバ１１１が連通して設置され、前記ギヤ伝動チャンバ１１１の左端には前記洗浄箱１００の中に位置する下ウォームギヤチャンバ１０２が設けられ、前記ギヤ伝動チャンバ１１１の中には洗い流し部品が設けられ、前記洗い流し部品が絨毯に高圧水を噴き出すことができ、絨毯に対してクリーニング作用を果たす。
【００１５】
有益的には、前記送り挟み部品は、前記洗浄チャンバ１１０の左右内壁に設置され、且つ、互いに対称となる安定チャンバ１２５を含み、前記安定チャンバ１２５の中には安定ブロック１２６が上下にスライドできるように係合連結され、前記安定ブロック１２６の上端面には前記洗浄箱１００とスライドできるように係合連結される安定ロッド１２４が固定的に連結され、前記安定ブロック１２６の上側と前記安定チャンバ１２５の頂側内壁との間には第一ばね１４７が連結され、前記安定チャンバ１２５の下端内壁にはスライドチャンバ１４０が連通して設置され、前記スライドチャンバ１４０の右端内壁には上挟みブロックチャンバ１２０が連通して設けられ、前記スライドチャンバ１４０には前記安定ブロック１２６と当接される押しスライダ１１４がスライドできるように連結され、前記押しスライダ１１４のうち対称中心に近い側には前記洗浄チャンバ１１０の前後端壁とスライドできるように係合連結される下押圧ブロック１３９が設けられ、前記安定チャンバ１２５のうち対称中心に近い端には伝動輪チャンバ１２１が固定的に連結され、前記伝動輪チャンバ１２１の中には前から後ろに陳列で分布され、且つ、前記洗浄チャンバ１１０の中まで挿入する三組の送り輪軸１１５が回転できるように係合連結され、前記送り輪軸１１５には前記伝動輪チャンバ１２１の中に位置するタイミングプーリ１３０が設けられ、前記タイミングプーリ１３０の間にはタイミングベルト１４６が動力が伝達できるように連結され、前記送り輪軸１１５には前記タイミングプーリ１３０のうち対称中心から離れている端に位置する纏わり輪１２２が設けられ、前記纏わり輪１２２と前記押しスライダ１１４との間には纏わりベルト１２７が固定的に連結され、前記送り輪軸１１５には前記洗浄チャンバ１１０の中に位置する送り輪１１６が設けられ、前記伝動輪チャンバ１２１のうち対称中心から離れている側の内壁には中間の前記送り輪軸１１５と動力が伝達できるように連結されることができる送り挟みモータ１２３が嵌め込むように設置され、前記上挟みブロックチャンバ１２０の上端にはスライドロッドチャンバ１１９が連通して設置され、前記スライドロッドチャンバ１１９の中にはスライドロッド１１８がスライドできるように係合連結され、前記スライドロッド１１８の下端末端には上挟みブロック１１７が設けられ、前記上挟みブロック１１７の上側と前記上挟みブロックチャンバ１２０の頂端内壁との間には第二ばね１４８が連結される。
【００１６】
有益的には、前記たたき部品は、前記上ウォームギヤチャンバ１０３の上端壁に嵌め込むように設置される作動モータ１０４を含み、前記作動モータ１０４の下側には上下に伸びており前記下ウォームギヤチャンバ１０２の中まで挿入するウォーム１１３が動力が伝達できるように連結され、前記クランク軸チャンバ１０８の中には左右に伸びており前記上ウォームギヤチャンバ１０３の中まで挿入するクランク軸１０６が回転できるように係合連結され、前記クランク軸１０６には前記ウォーム１１３と噛合連結されることができる上ウォームホイール１０５が設けられ、前記クランク軸１０６には前記クランク軸チャンバ１０８の中に位置するクランク軸回転ブロック１０７が回転できるように係合連結され、前記クランク軸回転ブロック１０７の下端面には前記クランク軸チャンバ１０８の中に位置するコネクティングロッド１４５が回転できるように係合連結され、前記クランク軸チャンバ１０８の底端の内壁には上下に伸びているたたきスライダ１０９がスライドできるように連結され、前記たたきスライダ１０９と前記コネクティングロッド１４５との間がヒンジにより連結される。
【００１７】
有益的には、前記洗い流し部品は、前記ギヤ伝動チャンバ１１１の中に回転できるように係合連結され、且つ、左右に伸びていて前記下ウォームギヤチャンバ１０２の中まで挿入する伝動軸１１２を含み、前記伝動軸１１２には前記ウォーム１１３と噛合連結できる下ウォームホイール１０１が設けられ、前記伝動軸１１２には前記ギヤ伝動チャンバ１１１の中に位置する下押圧ブロック１３９が左右対称的に設けられ、前記ギヤ伝動チャンバ１１１のうち対称中心から離れている側の内壁には前記下押圧ブロック１３９と噛み合って連結される回転盤１３８が回転できるように係合連結され、前記回転盤１３８のうち対称中心に近い側には凸ブロック１３７が固定的に連結され、前記ギヤ伝動チャンバ１１１の底端の内壁には前記洗浄箱１００とスライドできるように係合連結される流入ブロック１３１が設置され、前記流入ブロック１３１には流入引っ掛かりブロック１３２が連通して設置され、前記流入引っ掛かりブロック１３２の上端には流出ブロック１３５が連通して設置され、前記流出ブロック１３５のうち対称中心から離れている端面には固定ブロック１３６が固定的に連結され、前記固定ブロック１３６の中には前記凸ブロック１３７とスライドできるように係合連結される凸ブロックスライド溝１３４が設けられる。
【００１８】
本発明設備が初期状態において、前記作動モータ１０４と前記送り挟みモータ１２３とが作動しない状態であり、前記押しスライダ１１４が前記スライドチャンバ１４０の最下端に位置し、これによって初期状態の時に上記構成が初期位置に位置し、後続の作動過程において調整でき、設備の作動協調性を効果的に高めることができる。
【００１９】
設備が作動する時、絨毯を前記洗浄チャンバ１１０の前端入口、送り輪１１６の上方に置き、前記送り挟みモータ１２３が作動し、前記送り輪軸１１５を回転駆動させ、前記送り輪軸１１５に固定的に設置される前記タイミングプーリ１３０を回転させ、タイミングベルト１４６により前記送り輪１１６を同時に回転させ、絨毯を駆動して前から後ろへ設備に入らせ、同時に、中間の前記送り輪軸１１５が前記纏わり輪１２２を連動して回転させ、前記纏わりベルト１２７が前記纏わり輪１２２を纏わり続けるようにさせ、前記安定ブロック１２６が前記安定チャンバ１２５の中でスライドできるように連結されるため、前記纏わりベルト１２７が前記押しスライダ１１４を駆動して安定に上へスライドさせ、前記押しスライダ１１４が前記下押圧ブロック１３９を連動して前記洗浄チャンバ１１０の中で上へ移動させ、前記絨毯が後ろへ移動して適宜な位置まで移動する時、前記送り挟みモータ１２３が作動を停止し、この時、前記下押圧ブロック１３９の上端面と前記上挟みブロック１１７の下端面とがちょうど絨毯をしっかり挟み、前記作動モータ１０４が起動し、前記ウォーム１１３を回転駆動させ、前記ウォーム１１３と噛み合っている前記下ウォームホイール１０１を回転させ、前記伝動軸１１２を回転駆動させ、これによって前記伝動軸１１２が前記下押圧ブロック１３９を連動して回転させ、前記下押圧ブロック１３９が前記回転盤１３８を連動して回転させ、これによって前記凸ブロック１３７が前記凸ブロックスライド溝１３４の中で揺れ動き、前記流出ブロック１３５を駆動して前記ギヤ伝動チャンバ１１１の中で揺れ動かし、高圧水が前記流入ブロック１３１から前記流入引っ掛かりブロック１３２により前記洗浄チャンバ１１０に入り、前記流出ブロック１３５の上端から前記絨毯に噴出し、その同時に、前記作動モータ１０４が前記上ウォームホイール１０５を回転駆動させ、前記上ウォームホイール１０５が前記上ウォームホイール１０５と固定的に設置される前記クランク軸１０６を連動して回転させ、前記クランク軸１０６が前記クランク軸回転ブロック１０７を連動して前記クランク軸チャンバ１０８の中で回転させ、前記コネクティングロッド１４５の連動により、前記たたきスライダ１０９の下端に前記洗浄チャンバ１１０の中で絨毯の上端をたたき続き、下へたたくことにより絨毯に絡んだゴミ等を絨毯から分離させる。
【００２０】
本発明の有益効果は：本発明設備は構成が簡単で、使用が便利で、使用する時、絨毯を設備の入口に置き、設備は自動的に絨毯を内部に搬送し、適宜な位置まで搬送すると絨毯をしっかり挟み、しっかり挟んだと同時に絨毯に対して洗い流しや叩き等の一連の操作を行い、絨毯の汚れ等を水流により落とし、洗浄完了後、設備が絨毯を設備の外まで搬送し、設備の安定性を効果的に増加する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020171633.tif 000003
【図２】
2020171633.tif 000004
【図３】
2020171633.tif 000005
【図４】
2020171633.tif 000006
【図５】
2020171633.tif 000007
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
洗浄箱を含み、前記洗浄箱の中には前後に貫通する洗浄チャンバが設けられ、前記洗浄チャンバの左右端の内壁には送り挟み部品が対称的に設置され、前記送り挟み部品が絨毯を設備内外で搬送でき、且つ、適宜な位置に搬送する時に絨毯を挟み、洗浄過程において絨毯の変位を防止し、前記洗浄チャンバの上端にはクランク軸チャンバが設けられ、前記クランク軸チャンバの左端には上ウォームギヤチャンバが設けられ、前記クランク軸チャンバと前記洗浄チャンバの間にはたたき部品が設けられ、前記たたき部品が絨毯を洗浄する時に絨毯をたたくことができ、洗浄の過程において絨毯に絡んだゴミ等を取り除くことができ、前記洗浄チャンバの下端内壁には左右対称のギヤ伝動チャンバが連通して設置され、前記ギヤ伝動チャンバの左端には前記洗浄箱の中に位置する下ウォームギヤチャンバが設けられ、前記ギヤ伝動チャンバの中には洗い流し部品が設けられ、前記洗い流し部品が絨毯に高圧水を噴き出すことができ、絨毯に対してクリーニング作用を果たし、
前記送り挟み部品は、前記洗浄チャンバの左右内壁に設置され、且つ、互いに対称となる安定チャンバを含み、前記安定チャンバの中には安定ブロックが上下にスライドできるように係合連結され、前記安定ブロックの上端面には前記洗浄箱とスライドできるように係合連結される安定ロッドが固定的に連結され、前記安定ブロックの上側と前記安定チャンバの頂側内壁との間には第一ばねが連結され、前記安定チャンバの下端内壁にはスライドチャンバが連通して設置され、前記スライドチャンバにおいて前記洗浄チャンバに近接する側の内壁には上挟みブロックチャンバが前記スライドチャンバと連通するように設けられ、前記スライドチャンバには前記安定ブロックと当接される押しスライダがスライドできるように連結され、前記押しスライダのうち対称中心に近い側には前記洗浄チャンバの前後端壁とスライドできるように係合連結される下押圧ブロックが設けられ、前記安定チャンバにおいて対称中心に近接する端には伝動輪チャンバが設けられ、前記伝動輪チャンバの中には前から後へ等間隔に配列され、且つ、前記洗浄チャンバの中まで挿入する三組の送り輪軸が回転できるように係合連結され、前記送り輪軸には前記伝動輪チャンバの中に位置するタイミングプーリが設けられ、前記タイミングプーリの間にはタイミングベルトが動力が伝達できるように連結され、前記送り輪軸には前記タイミングプーリのうち対称中心から離れている端に位置する纏わり輪が設けられ、前記纏わり輪と前記押しスライダとの間には纏わりベルトが固定的に連結され、前記送り輪軸には前記洗浄チャンバの中に位置する送り輪が設けられ、前記伝動輪チャンバのうち対称中心から離れている側の内壁には中間の前記送り輪軸と動力が伝達できるように連結されることができる送り挟みモータが嵌め込むように設置され、前記上挟みブロックチャンバの上端にはスライドロッドチャンバが連通して設置され、前記スライドロッドチャンバの中にはスライドロッドがスライドできるように係合連結され、前記スライドロッドの下端末端には上挟みブロックが設けられ、前記上挟みブロックの上側と前記上挟みブロックチャンバの頂端内壁との間には第二ばねが連結され、
前記たたき部品は、前記上ウォームギヤチャンバの上端壁に嵌め込むように設置される作動モータを含み、前記作動モータの下側には上下に伸びており前記下ウォームギヤチャンバの中まで挿入するウォームが動力が伝達できるように連結され、前記クランク軸チャンバの中には左右に伸びており前記上ウォームギヤチャンバの中まで挿入するクランク軸が回転できるように係合連結され、前記クランク軸には前記ウォームと噛合連結されることができる上ウォームホイールが設けられ、前記クランク軸には前記クランク軸チャンバの中に位置するクランク軸回転ブロックが回転できるように係合連結され、前記クランク軸回転ブロックの下端面には前記クランク軸チャンバの中に位置するコネクティングロッドが回転できるように係合連結され、前記クランク軸チャンバの底端の内壁には上下に伸びているたたきスライダがスライドできるように連結され、前記たたきスライダと前記コネクティングロッドとの間がヒンジにより連結され、
前記洗い流し部品は、前記ギヤ伝動チャンバの中に回転できるように係合連結され、且つ、左右に伸びていて前記下ウォームギヤチャンバの中まで挿入する伝動軸を含み、前記伝動軸には前記ウォームと噛合連結できる下ウォームホイールが設けられ、前記伝動軸には前記ギヤ伝動チャンバの中に位置する駆動歯車が左右対称的に設けられ、前記ギヤ伝動チャンバのうち対称中心から離れている側の内壁には前記駆動歯車と噛み合って連結される回転盤が回転できるように係合連結され、前記回転盤のうち対称中心に近い側には凸ブロックが固定的に連結され、前記ギヤ伝動チャンバの底端の内壁には前記洗浄箱とスライドできるように係合連結される流入ブロックが設置され、前記流入ブロックには流入引っ掛かりブロックが連通して設置され、前記流入引っ掛かりブロックの上端には流出ブロックが連通して設置され、前記流出ブロックのうち対称中心から離れている端面には固定ブロックが固定的に連結され、前記固定ブロックの中には前記凸ブロックとスライドできるように係合連結される凸ブロックスライド溝が設けられることを特徴とする絨毯洗浄機。
【手続補正２】
【補正対象書類名】明細書
【補正対象項目名】全文
【補正方法】変更
【補正の内容】
【発明の詳細な説明】
【技術分野】
【０００１】
本発明はクリーニング分野を取り上げて、具体的には絨毯洗浄機である。
【背景技術】
【０００２】
社会の発展につれて、住宅、ホテル、レストランや会議室等の多くの所は絨毯により装飾を施し、絨毯は騒音を減らすことができ、断熱でき、また足触りを改善でき、滑って転ぶことを防止できる等の作用を有し、絨毯が使用される過程の中、埃、垢や動物の毛等がよく絨毯の表面に落ち、絨毯は特別な属性があるため、洗濯機で洗うことができなく、しかし、手で洗うのが非常に面倒くさいので、絨毯洗浄機を設計することが非常に必要であり、本発明設備はこの問題を効果的に解決できる。
【先行技術文献】
【特許文献】
【０００３】
【特許文献１】中国特許出願公開第１０７２６００７６号明細書
【発明の概要】
【発明が解決しようとする課題】
【０００４】
本発明は絨毯洗浄機を提供し、現有技術における上記欠点を解消することを目的とする。
【課題を解決するための手段】
【０００５】
本発明により、本発明設備の絨毯洗浄機は、洗浄箱を含み、前記洗浄箱の中には前後に貫通する洗浄チャンバが設けられ、前記洗浄チャンバの左右端の内壁には送り挟み部品が対称的に設置され、前記送り挟み部品が絨毯を設備内外で搬送でき、且つ、適宜な位置に搬送する時に絨毯を挟み、洗浄過程において絨毯の変位を防止し、前記洗浄チャンバの上端にはクランク軸チャンバが設けられ、前記クランク軸チャンバの左端には上ウォームギヤチャンバが設けられ、前記クランク軸チャンバと前記洗浄チャンバの間にはたたき部品が設けられ、前記たたき部品が絨毯を洗浄する時に絨毯をたたくことができ、洗浄の過程において絨毯に絡んだゴミ等を取り除くことができ、前記洗浄チャンバの下端内壁には左右対称のギヤ伝動チャンバが連通して設置され、前記ギヤ伝動チャンバの左端には前記洗浄箱の中に位置する下ウォームギヤチャンバが設けられ、前記ギヤ伝動チャンバの中には洗い流し部品が設けられ、前記洗い流し部品が絨毯に高圧水を噴き出すことができ、絨毯に対してクリーニング作用を果たす。
【０００６】
更の技術プランとしては、前記送り挟み部品は、前記洗浄チャンバの左右内壁に設置され、且つ、互いに対称となる安定チャンバを含み、前記安定チャンバの中には安定ブロックが上下にスライドできるように係合連結され、前記安定ブロックの上端面には前記洗浄箱とスライドできるように係合連結される安定ロッドが固定的に連結され、前記安定ブロックの上側と前記安定チャンバの頂側内壁との間には第一ばねが連結され、前記安定チャンバの下端内壁にはスライドチャンバが連通して設置され、前記スライドチャンバにおいて前記洗浄チャンバに近接する側の内壁には上挟みブロックチャンバが前記スライドチャンバと連通するように設けられ、前記スライドチャンバには前記安定ブロックと当接される押しスライダがスライドできるように連結され、前記押しスライダのうち対称中心に近い側には前記洗浄チャンバの前後端壁とスライドできるように係合連結される下押圧ブロックが設けられ、前記安定チャンバにおいて対称中心に近接する端には伝動輪チャンバが設けられ、前記伝動輪チャンバの中には前から後へ等間隔に配列され、且つ、前記洗浄チャンバの中まで挿入する三組の送り輪軸が回転できるように係合連結され、前記送り輪軸には前記伝動輪チャンバの中に位置するタイミングプーリが設けられ、前記タイミングプーリの間にはタイミングベルトが動力が伝達できるように連結され、前記送り輪軸には前記タイミングプーリのうち対称中心から離れている端に位置する纏わり輪が設けられ、前記纏わり輪と前記押しスライダとの間には纏わりベルトが固定的に連結され、前記送り輪軸には前記洗浄チャンバの中に位置する送り輪が設けられ、前記伝動輪チャンバのうち対称中心から離れている側の内壁には中間の前記送り輪軸と動力が伝達できるように連結されることができる送り挟みモータが嵌め込むように設置され、前記上挟みブロックチャンバの上端にはスライドロッドチャンバが連通して設置され、前記スライドロッドチャンバの中にはスライドロッドがスライドできるように係合連結され、前記スライドロッドの下端末端には上挟みブロックが設けられ、前記上挟みブロックの上側と前記上挟みブロックチャンバの頂端内壁との間には第二ばねが連結される。
【０００７】
更の技術プランとしては、前記たたき部品は、前記上ウォームギヤチャンバの上端壁に嵌め込むように設置される作動モータを含み、前記作動モータの下側には上下に伸びており前記下ウォームギヤチャンバの中まで挿入するウォームが動力が伝達できるように連結され、前記クランク軸チャンバの中には左右に伸びており前記上ウォームギヤチャンバの中まで挿入するクランク軸が回転できるように係合連結され、前記クランク軸には前記ウォームと噛合連結されることができる上ウォームホイールが設けられ、前記クランク軸には前記クランク軸チャンバの中に位置するクランク軸回転ブロックが回転できるように係合連結され、前記クランク軸回転ブロックの下端面には前記クランク軸チャンバの中に位置するコネクティングロッドが回転できるように係合連結され、前記クランク軸チャンバの底端の内壁には上下に伸びているたたきスライダがスライドできるように連結され、前記たたきスライダと前記コネクティングロッドとの間がヒンジにより連結される。
【０００８】
更の技術プランとしては、前記洗い流し部品は、前記ギヤ伝動チャンバの中に回転できるように係合連結され、且つ、左右に伸びていて前記下ウォームギヤチャンバの中まで挿入する伝動軸を含み、前記伝動軸には前記ウォームと噛合連結できる下ウォームホイールが設けられ、前記伝動軸には前記ギヤ伝動チャンバの中に位置する駆動歯車が左右対称的に設けられ、前記ギヤ伝動チャンバのうち対称中心から離れている側の内壁には前記駆動歯車と噛み合って連結される回転盤が回転できるように係合連結され、前記回転盤のうち対称中心に近い側には凸ブロックが固定的に連結され、前記ギヤ伝動チャンバの底端の内壁には前記洗浄箱とスライドできるように係合連結される流入ブロックが設置され、前記流入ブロックには流入引っ掛かりブロックが連通して設置され、前記流入引っ掛かりブロックの上端には流出ブロックが連通して設置され、前記流出ブロックのうち対称中心から離れている端面には固定ブロックが固定的に連結され、前記固定ブロックの中には前記凸ブロックとスライドできるように係合連結される凸ブロックスライド溝が設けられる。
【発明の効果】
【０００９】
本発明の有益効果は：本発明設備は構成が簡単で、使用が便利で、使用する時、絨毯を設備の入口に置き、設備は自動的に絨毯を内部に搬送し、適宜な位置まで搬送すると絨毯をしっかり挟み、しっかり挟んだと同時に絨毯に対して洗い流しや叩き等の一連の操作を行い、絨毯の汚れ等を水流により落とし、洗浄完了後、設備が絨毯を設備の外まで搬送し、設備の安定性を効果的に増加する。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の絨毯洗浄機の使用装置の全体構成模式図
【図２】図２は図１の中のＡの拡大模式図
【図３】図３は図２の中の「Ｂ−Ｂ」方向の模式図
【図４】図４は図１の中のＣの拡大模式図
【図５】図５は図４の中の「Ｄ−Ｄ」方向の模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１−５が示すように、便利に叙述するために、現在は後文に出る方位を下記の通りに規定する：後文に出る上下左右前後方向は図１本体の投影関係の上下左右前後方向と一致しており、本発明の絨毯洗浄機は、洗浄箱１００を含み、前記洗浄箱１００の中には前後に貫通する洗浄チャンバ１１０が設けられ、前記洗浄チャンバ１１０の左右端の内壁には送り挟み部品が対称的に設置され、前記送り挟み部品が絨毯を設備内外で搬送でき、且つ、適宜な位置に搬送する時に絨毯を挟み、洗浄過程において絨毯の変位を防止し、前記洗浄チャンバ１１０の上端にはクランク軸チャンバ１０８が設けられ、前記クランク軸チャンバ１０８の左端には上ウォームギヤチャンバ１０３が設けられ、、前記クランク軸チャンバ１０８と前記洗浄チャンバ１１０の間にはたたき部品が設けら、前記たたき部品が絨毯を洗浄する時に絨毯をたたくことができ、洗浄の過程において絨毯に絡んだゴミ等を取り除くことができ、前記洗浄チャンバ１１０の下端内壁には左右対称のギヤ伝動チャンバ１１１が連通して設置され、前記ギヤ伝動チャンバ１１１の左端には前記洗浄箱１００の中に位置する下ウォームギヤチャンバ１０２が設けられ、前記ギヤ伝動チャンバ１１１の中には洗い流し部品が設けられ、前記洗い流し部品が絨毯に高圧水を噴き出すことができ、絨毯に対してクリーニング作用を果たす。
【００１５】
有益的には、前記送り挟み部品は、前記洗浄チャンバ１１０の左右内壁に設置され、且つ、互いに対称となる安定チャンバ１２５を含み、前記安定チャンバ１２５の中には安定ブロック１２６が上下にスライドできるように係合連結され、前記安定ブロック１２６の上端面には前記洗浄箱１００とスライドできるように係合連結される安定ロッド１２４が固定的に連結され、前記安定ブロック１２６の上側と前記安定チャンバ１２５の頂側内壁との間には第一ばね１４７が連結され、前記安定チャンバ１２５の下端内壁にはスライドチャンバ１４０が連通して設置され、前記スライドチャンバ１４０において前記洗浄チャンバ１１０に近接する側の内壁には上挟みブロックチャンバ１２０が前記スライドチャンバ１４０と連通するように設けられ、前記スライドチャンバ１４０には前記安定ブロック１２６と当接される押しスライダ１１４がスライドできるように連結され、前記押しスライダ１１４のうち対称中心に近い側には前記洗浄チャンバ１１０の前後端壁とスライドできるように係合連結される下押圧ブロック１３９が設けられ、前記安定チャンバ１２５において対称中心に近接する端には伝動輪チャンバ１２１が設けられ、前記伝動輪チャンバ１２１の中には前から後へ等間隔に配列され、且つ、前記洗浄チャンバ１１０の中まで挿入する三組の送り輪軸１１５が回転できるように係合連結され、前記送り輪軸１１５には前記伝動輪チャンバ１２１の中に位置するタイミングプーリ１３０が設けられ、前記タイミングプーリ１３０の間にはタイミングベルト１４６が動力が伝達できるように連結され、前記送り輪軸１１５には前記タイミングプーリ１３０のうち対称中心から離れている端に位置する纏わり輪１２２が設けられ、前記纏わり輪１２２と前記押しスライダ１１４との間には纏わりベルト１２７が固定的に連結され、前記送り輪軸１１５には前記洗浄チャンバ１１０の中に位置する送り輪１１６が設けられ、前記伝動輪チャンバ１２１のうち対称中心から離れている側の内壁には中間の前記送り輪軸１１５と動力が伝達できるように連結されることができる送り挟みモータ１２３が嵌め込むように設置され、前記上挟みブロックチャンバ１２０の上端にはスライドロッドチャンバ１１９が連通して設置され、前記スライドロッドチャンバ１１９の中にはスライドロッド１１８がスライドできるように係合連結され、前記スライドロッド１１８の下端末端には上挟みブロック１１７が設けられ、前記上挟みブロック１１７の上側と前記上挟みブロックチャンバ１２０の頂端内壁との間には第二ばね１４８が連結される。
【００１６】
有益的には、前記たたき部品は、前記上ウォームギヤチャンバ１０３の上端壁に嵌め込むように設置される作動モータ１０４を含み、前記作動モータ１０４の下側には上下に伸びており前記下ウォームギヤチャンバ１０２の中まで挿入するウォーム１１３が動力が伝達できるように連結され、前記クランク軸チャンバ１０８の中には左右に伸びており前記上ウォームギヤチャンバ１０３の中まで挿入するクランク軸１０６が回転できるように係合連結され、前記クランク軸１０６には前記ウォーム１１３と噛合連結されることができる上ウォームホイール１０５が設けられ、前記クランク軸１０６には前記クランク軸チャンバ１０８の中に位置するクランク軸回転ブロック１０７が回転できるように係合連結され、前記クランク軸回転ブロック１０７の下端面には前記クランク軸チャンバ１０８の中に位置するコネクティングロッド１４５が回転できるように係合連結され、前記クランク軸チャンバ１０８の底端の内壁には上下に伸びているたたきスライダ１０９がスライドできるように連結され、前記たたきスライダ１０９と前記コネクティングロッド１４５との間がヒンジにより連結される。
【００１７】
有益的には、前記洗い流し部品は、前記ギヤ伝動チャンバ１１１の中に回転できるように係合連結され、且つ、左右に伸びていて前記下ウォームギヤチャンバ１０２の中まで挿入する伝動軸１１２を含み、前記伝動軸１１２には前記ウォーム１１３と噛合連結できる下ウォームホイール１０１が設けられ、前記伝動軸１１２には前記ギヤ伝動チャンバ１１１の中に位置する駆動歯車が左右対称的に設けられ、前記ギヤ伝動チャンバ１１１のうち対称中心から離れている側の内壁には前記駆動歯車と噛み合って連結される回転盤１３８が回転できるように係合連結され、前記回転盤１３８のうち対称中心に近い側には凸ブロック１３７が固定的に連結され、前記ギヤ伝動チャンバ１１１の底端の内壁には前記洗浄箱１００とスライドできるように係合連結される流入ブロック１３１が設置され、前記流入ブロック１３１には流入引っ掛かりブロック１３２が連通して設置され、前記流入引っ掛かりブロック１３２の上端には流出ブロック１３５が連通して設置され、前記流出ブロック１３５のうち対称中心から離れている端面には固定ブロック１３６が固定的に連結され、前記固定ブロック１３６の中には前記凸ブロック１３７とスライドできるように係合連結される凸ブロックスライド溝１３４が設けられる。
【００１８】
本発明設備が初期状態において、前記作動モータ１０４と前記送り挟みモータ１２３とが作動しない状態であり、前記押しスライダ１１４が前記スライドチャンバ１４０の最下端に位置し、これによって初期状態の時に上記構成が初期位置に位置し、後続の作動過程において調整でき、設備の作動協調性を効果的に高めることができる。
【００１９】
設備が作動する時、絨毯を前記洗浄チャンバ１１０の前端入口、送り輪１１６の上方に置き、前記送り挟みモータ１２３が作動し、前記送り輪軸１１５を回転駆動させ、前記送り輪軸１１５に固定的に設置される前記タイミングプーリ１３０を回転させ、タイミングベルト１４６により前記送り輪１１６を同時に回転させ、絨毯を駆動して前から後ろへ設備に入らせ、同時に、中間の前記送り輪軸１１５が前記纏わり輪１２２を連動して回転させ、前記纏わりベルト１２７が前記纏わり輪１２２を纏わり続けるようにさせ、前記安定ブロック１２６が前記安定チャンバ１２５の中でスライドできるように連結されるため、前記纏わりベルト１２７が前記押しスライダ１１４を駆動して安定に上へスライドさせ、前記押しスライダ１１４が前記下押圧ブロック１３９を連動して前記洗浄チャンバ１１０の中で上へ移動させ、前記絨毯が後ろへ移動して適宜な位置まで移動する時、前記送り挟みモータ１２３が作動を停止し、この時、前記下押圧ブロック１３９の上端面と前記上挟みブロック１１７の下端面とがちょうど絨毯をしっかり挟み、前記作動モータ１０４が起動し、前記ウォーム１１３を回転駆動させ、前記ウォーム１１３と噛み合っている前記下ウォームホイール１０１を回転させ、前記伝動軸１１２を回転駆動させ、これによって前記伝動軸１１２が前記下押圧ブロック１３９を連動して回転させ、前記下押圧ブロック１３９が前記回転盤１３８を連動して回転させ、これによって前記凸ブロック１３７が前記凸ブロックスライド溝１３４の中で揺れ動き、前記流出ブロック１３５を駆動して前記ギヤ伝動チャンバ１１１の中で揺れ動かし、高圧水が前記流入ブロック１３１から前記流入引っ掛かりブロック１３２により前記洗浄チャンバ１１０に入り、前記流出ブロック１３５の上端から前記絨毯に噴出し、その同時に、前記作動モータ１０４が前記上ウォームホイール１０５を回転駆動させ、前記上ウォームホイール１０５が前記上ウォームホイール１０５と固定的に設置される前記クランク軸１０６を連動して回転させ、前記クランク軸１０６が前記クランク軸回転ブロック１０７を連動して前記クランク軸チャンバ１０８の中で回転させ、前記コネクティングロッド１４５の連動により、前記たたきスライダ１０９の下端を前記洗浄チャンバ１１０の中の絨毯の上側に中断せずにたたき、下へたたくことにより絨毯に絡んだゴミ等を絨毯から分離させる。
【００２０】
本発明の有益効果は：本発明設備は構成が簡単で、使用が便利で、使用する時、絨毯を設備の入口に置き、設備は自動的に絨毯を内部に搬送し、適宜な位置まで搬送すると絨毯をしっかり挟み、しっかり挟んだと同時に絨毯に対して洗い流しや叩き等の一連の操作を行い、絨毯の汚れ等を水流により落とし、洗浄完了後、設備が絨毯を設備の外まで搬送し、設備の安定性を効果的に増加する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正３】
【補正対象書類名】図面
【補正対象項目名】図４
【補正方法】変更
【補正の内容】
【図４】
2020171633.tif 000008
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
洗浄箱を含み、前記洗浄箱の中には前後に貫通する洗浄チャンバが設けられ、前記洗浄チャンバの左右端の内壁には送り挟み部品が対称的に設置され、適宜な位置に搬送する時に絨毯を挟み、洗浄過程において絨毯の変位を防止し、前記洗浄チャンバの上端にはクランク軸チャンバが設けられ、前記クランク軸チャンバの左端には上ウォームギヤチャンバが設けられ、前記クランク軸チャンバの内部にはたたき部品が設けられ、前記たたき部品が絨毯を洗浄する時に絨毯をたたくことができ、洗浄の過程において絨毯に絡んだゴミ等を取り除くことができ、前記洗浄チャンバの下端内壁には左右対称のギヤ伝動チャンバが連通して設置され、前記ギヤ伝動チャンバの左端には前記洗浄箱の中に位置する下ウォームギヤチャンバが設けられ、前記ギヤ伝動チャンバの中には洗い流し部品が設けられ、前記洗い流し部品が絨毯に高圧水を噴き出すことができ、絨毯に対してクリーニング作用を果たし、
前記送り挟み部品は、前記洗浄チャンバの左右内壁に設置され、且つ、互いに対称となる安定チャンバを含み、前記安定チャンバの中には安定ブロックが上下にスライドできるように係合連結され、前記安定ブロックの上端面には前記洗浄箱とスライドできるように係合連結される安定ロッドが固定的に連結され、前記安定ブロックの上側と前記安定チャンバの頂側内壁との間には第一ばねが連結され、前記安定チャンバの下端内壁にはスライドチャンバが連通して設置され、前記スライドチャンバにおいて前記洗浄チャンバに近接する側の内壁には上挟みブロックチャンバが前記スライドチャンバと連通するように設けられ、前記スライドチャンバには前記安定ブロックと当接される押しスライダがスライドできるように連結され、前記押しスライダのうち対称中心に近い側には前記洗浄チャンバの前後端壁とスライドできるように係合連結される下押圧ブロックが設けられ、前記安定チャンバにおいて対称中心に近接する端には伝動輪チャンバが設けられ、前記伝動輪チャンバの中には前から後へ等間隔に配列され、且つ、前記洗浄チャンバの中まで挿入する三組の送り輪軸が回転できるように係合連結され、前記送り輪軸には前記伝動輪チャンバの中に位置するタイミングプーリが設けられ、前記タイミングプーリの間にはタイミングベルトが動力が伝達できるように連結され、前記送り輪軸には前記タイミングプーリのうち対称中心から離れている端に位置する纏わり輪が設けられ、前記纏わり輪と前記押しスライダとの間には纏わりベルトが固定的に連結され、前記送り輪軸には前記洗浄チャンバの中に位置する送り輪が設けられ、前記伝動輪チャンバのうち対称中心から離れている側の内壁には中間の前記送り輪軸と動力が伝達できるように連結されることができる送り挟みモータが嵌め込むように設置され、前記上挟みブロックチャンバの上端にはスライドロッドチャンバが連通して設置され、前記スライドロッドチャンバの中にはスライドロッドがスライドできるように係合連結され、前記スライドロッドの下端末端には上挟みブロックが設けられ、前記上挟みブロックの上側と前記上挟みブロックチャンバの頂端内壁との間には第二ばねが連結され、前記送り挟み部品が絨毯を設備内外で搬送でき、
前記たたき部品は、前記上ウォームギヤチャンバの上端壁に嵌め込むように設置される作動モータを含み、前記作動モータの下側には上下に伸びており前記下ウォームギヤチャンバの中まで挿入するウォームが動力が伝達できるように連結され、前記クランク軸チャンバの中には左右に伸びており前記上ウォームギヤチャンバの中まで挿入するクランク軸が回転できるように係合連結され、前記クランク軸には前記ウォームと噛合連結されることができる上ウォームホイールが設けられ、前記クランク軸には前記クランク軸チャンバの中に位置するクランク軸回転ブロックが回転できるように係合連結され、前記クランク軸回転ブロックの下端面には前記クランク軸チャンバの中に位置するコネクティングロッドが回転できるように係合連結され、前記クランク軸チャンバの底端の内壁には上下に伸びているたたきスライダがスライドできるように連結され、前記たたきスライダと前記コネクティングロッドとの間がヒンジにより連結され、
前記洗い流し部品は、前記ギヤ伝動チャンバの中に回転できるように係合連結され、且つ、左右に伸びていて前記下ウォームギヤチャンバの中まで挿入する伝動軸を含み、前記伝動軸には前記ウォームと噛合連結できる下ウォームホイールが設けられ、前記伝動軸には前記ギヤ伝動チャンバの中に位置する駆動歯車が左右対称的に設けられ、前記ギヤ伝動チャンバのうち対称中心から離れている側の内壁には前記駆動歯車と噛み合って連結される回転盤が回転できるように係合連結され、前記回転盤のうち対称中心に近い側には凸ブロックが固定的に連結され、前記ギヤ伝動チャンバの底端の内壁には前記洗浄箱とスライドできるように係合連結される流入ブロックが設置され、前記流入ブロックには流入引っ掛かりブロックが連通して設置され、前記流入引っ掛かりブロックの上端には流出ブロックが連通して設置され、前記流出ブロックのうち対称中心から離れている端面には固定ブロックが固定的に連結され、前記固定ブロックの中には前記凸ブロックとスライドできるように係合連結される凸ブロックスライド溝が設けられることを特徴とする絨毯洗浄機。
【手続補正２】
【補正対象書類名】明細書
【補正対象項目名】全文
【補正方法】変更
【補正の内容】
【発明の詳細な説明】
【技術分野】
【０００１】
本発明はクリーニング分野を取り上げて、具体的には絨毯洗浄機である。
【背景技術】
【０００２】
社会の発展につれて、住宅、ホテル、レストランや会議室等の多くの所は絨毯により装飾を施し、絨毯は騒音を減らすことができ、断熱でき、また足触りを改善でき、滑って転ぶことを防止できる等の作用を有し、絨毯が使用される過程の中、埃、垢や動物の毛等がよく絨毯の表面に落ち、絨毯は特別な属性があるため、洗濯機で洗うことができなく、しかし、手で洗うのが非常に面倒くさいので、絨毯洗浄機を設計することが非常に必要であり、本発明設備はこの問題を効果的に解決できる。
【先行技術文献】
【特許文献】
【０００３】
【特許文献１】中国特許出願公開第１０７２６００７６号明細書
【発明の概要】
【発明が解決しようとする課題】
【０００４】
本発明は絨毯洗浄機を提供し、現有技術における上記欠点を解消することを目的とする。
【課題を解決するための手段】
【０００５】
本発明により、本発明設備の絨毯洗浄機は、洗浄箱を含み、前記洗浄箱の中には前後に貫通する洗浄チャンバが設けられ、前記洗浄チャンバの左右端の内壁には送り挟み部品が対称的に設置され、前記送り挟み部品が絨毯を設備内外で搬送でき、且つ、適宜な位置に搬送する時に絨毯を挟み、洗浄過程において絨毯の変位を防止し、前記洗浄チャンバの上端にはクランク軸チャンバが設けられ、前記クランク軸チャンバの左端には上ウォームギヤチャンバが設けられ、前記クランク軸チャンバの内部にはたたき部品が設けられ、前記たたき部品が絨毯を洗浄する時に絨毯をたたくことができ、洗浄の過程において絨毯に絡んだゴミ等を取り除くことができ、前記洗浄チャンバの下端内壁には左右対称のギヤ伝動チャンバが連通して設置され、前記ギヤ伝動チャンバの左端には前記洗浄箱の中に位置する下ウォームギヤチャンバが設けられ、前記ギヤ伝動チャンバの中には洗い流し部品が設けられ、前記洗い流し部品が絨毯に高圧水を噴き出すことができ、絨毯に対してクリーニング作用を果たす。
【０００６】
更の技術プランとしては、前記送り挟み部品は、前記洗浄チャンバの左右内壁に設置され、且つ、互いに対称となる安定チャンバを含み、前記安定チャンバの中には安定ブロックが上下にスライドできるように係合連結され、前記安定ブロックの上端面には前記洗浄箱とスライドできるように係合連結される安定ロッドが固定的に連結され、前記安定ブロックの上側と前記安定チャンバの頂側内壁との間には第一ばねが連結され、前記安定チャンバの下端内壁にはスライドチャンバが連通して設置され、前記スライドチャンバにおいて前記洗浄チャンバに近接する側の内壁には上挟みブロックチャンバが前記スライドチャンバと連通するように設けられ、前記スライドチャンバには前記安定ブロックと当接される押しスライダがスライドできるように連結され、前記押しスライダのうち対称中心に近い側には前記洗浄チャンバの前後端壁とスライドできるように係合連結される下押圧ブロックが設けられ、前記安定チャンバにおいて対称中心に近接する端には伝動輪チャンバが設けられ、前記伝動輪チャンバの中には前から後へ等間隔に配列され、且つ、前記洗浄チャンバの中まで挿入する三組の送り輪軸が回転できるように係合連結され、前記送り輪軸には前記伝動輪チャンバの中に位置するタイミングプーリが設けられ、前記タイミングプーリの間にはタイミングベルトが動力が伝達できるように連結され、前記送り輪軸には前記タイミングプーリのうち対称中心から離れている端に位置する纏わり輪が設けられ、前記纏わり輪と前記押しスライダとの間には纏わりベルトが固定的に連結され、前記送り輪軸には前記洗浄チャンバの中に位置する送り輪が設けられ、前記伝動輪チャンバのうち対称中心から離れている側の内壁には中間の前記送り輪軸と動力が伝達できるように連結されることができる送り挟みモータが嵌め込むように設置され、前記上挟みブロックチャンバの上端にはスライドロッドチャンバが連通して設置され、前記スライドロッドチャンバの中にはスライドロッドがスライドできるように係合連結され、前記スライドロッドの下端末端には上挟みブロックが設けられ、前記上挟みブロックの上側と前記上挟みブロックチャンバの頂端内壁との間には第二ばねが連結される。
【０００７】
更の技術プランとしては、前記たたき部品は、前記上ウォームギヤチャンバの上端壁に嵌め込むように設置される作動モータを含み、前記作動モータの下側には上下に伸びており前記下ウォームギヤチャンバの中まで挿入するウォームが動力が伝達できるように連結され、前記クランク軸チャンバの中には左右に伸びており前記上ウォームギヤチャンバの中まで挿入するクランク軸が回転できるように係合連結され、前記クランク軸には前記ウォームと噛合連結されることができる上ウォームホイールが設けられ、前記クランク軸には前記クランク軸チャンバの中に位置するクランク軸回転ブロックが回転できるように係合連結され、前記クランク軸回転ブロックの下端面には前記クランク軸チャンバの中に位置するコネクティングロッドが回転できるように係合連結され、前記クランク軸チャンバの底端の内壁には上下に伸びているたたきスライダがスライドできるように連結され、前記たたきスライダと前記コネクティングロッドとの間がヒンジにより連結される。
【０００８】
更の技術プランとしては、前記洗い流し部品は、前記ギヤ伝動チャンバの中に回転できるように係合連結され、且つ、左右に伸びていて前記下ウォームギヤチャンバの中まで挿入する伝動軸を含み、前記伝動軸には前記ウォームと噛合連結できる下ウォームホイールが設けられ、前記伝動軸には前記ギヤ伝動チャンバの中に位置する駆動歯車が左右対称的に設けられ、前記ギヤ伝動チャンバのうち対称中心から離れている側の内壁には前記駆動歯車と噛み合って連結される回転盤が回転できるように係合連結され、前記回転盤のうち対称中心に近い側には凸ブロックが固定的に連結され、前記ギヤ伝動チャンバの底端の内壁には前記洗浄箱とスライドできるように係合連結される流入ブロックが設置され、前記流入ブロックには流入引っ掛かりブロックが連通して設置され、前記流入引っ掛かりブロックの上端には流出ブロックが連通して設置され、前記流出ブロックのうち対称中心から離れている端面には固定ブロックが固定的に連結され、前記固定ブロックの中には前記凸ブロックとスライドできるように係合連結される凸ブロックスライド溝が設けられる。
【発明の効果】
【０００９】
本発明の有益効果は：本発明設備は構成が簡単で、使用が便利で、使用する時、絨毯を設備の入口に置き、設備は自動的に絨毯を内部に搬送し、適宜な位置まで搬送すると絨毯をしっかり挟み、しっかり挟んだと同時に絨毯に対して洗い流しや叩き等の一連の操作を行い、絨毯の汚れ等を水流により落とし、洗浄完了後、設備が絨毯を設備の外まで搬送し、設備の安定性を効果的に増加する。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の絨毯洗浄機の使用装置の全体構成模式図
【図２】図２は図１の中のＡの拡大模式図
【図３】図３は図２の中の「Ｂ−Ｂ」方向の模式図
【図４】図４は図１の中のＣの拡大模式図
【図５】図５は図４の中の「Ｄ−Ｄ」方向の模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１−５が示すように、便利に叙述するために、現在は後文に出る方位を下記の通りに規定する：後文に出る上下左右前後方向は図１本体の投影関係の上下左右前後方向と一致しており、本発明の絨毯洗浄機は、洗浄箱１００を含み、前記洗浄箱１００の中には前後に貫通する洗浄チャンバ１１０が設けられ、前記洗浄チャンバ１１０の左右端の内壁には送り挟み部品が対称的に設置され、前記送り挟み部品が絨毯を設備内外で搬送でき、且つ、適宜な位置に搬送する時に絨毯を挟み、洗浄過程において絨毯の変位を防止し、前記洗浄チャンバ１１０の上端にはクランク軸チャンバ１０８が設けられ、前記クランク軸チャンバ１０８の左端には上ウォームギヤチャンバ１０３が設けられ、、前記クランク軸チャンバ１０８の内部にはたたき部品が設けられ、前記たたき部品が絨毯を洗浄する時に絨毯をたたくことができ、洗浄の過程において絨毯に絡んだゴミ等を取り除くことができ、前記洗浄チャンバ１１０の下端内壁には左右対称のギヤ伝動チャンバ１１１が連通して設置され、前記ギヤ伝動チャンバ１１１の左端には前記洗浄箱１００の中に位置する下ウォームギヤチャンバ１０２が設けられ、前記ギヤ伝動チャンバ１１１の中には洗い流し部品が設けられ、前記洗い流し部品が絨毯に高圧水を噴き出すことができ、絨毯に対してクリーニング作用を果たす。
【００１５】
有益的には、前記送り挟み部品は、前記洗浄チャンバ１１０の左右内壁に設置され、且つ、互いに対称となる安定チャンバ１２５を含み、前記安定チャンバ１２５の中には安定ブロック１２６が上下にスライドできるように係合連結され、前記安定ブロック１２６の上端面には前記洗浄箱１００とスライドできるように係合連結される安定ロッド１２４が固定的に連結され、前記安定ブロック１２６の上側と前記安定チャンバ１２５の頂側内壁との間には第一ばね１４７が連結され、前記安定チャンバ１２５の下端内壁にはスライドチャンバ１４０が連通して設置され、前記スライドチャンバ１４０において前記洗浄チャンバ１１０に近接する側の内壁には上挟みブロックチャンバ１２０が前記スライドチャンバ１４０と連通するように設けられ、前記スライドチャンバ１４０には前記安定ブロック１２６と当接される押しスライダ１１４がスライドできるように連結され、前記押しスライダ１１４のうち対称中心に近い側には前記洗浄チャンバ１１０の前後端壁とスライドできるように係合連結される下押圧ブロック１３９が設けられ、前記安定チャンバ１２５において対称中心に近接する端には伝動輪チャンバ１２１が設けられ、前記伝動輪チャンバ１２１の中には前から後へ等間隔に配列され、且つ、前記洗浄チャンバ１１０の中まで挿入する三組の送り輪軸１１５が回転できるように係合連結され、前記送り輪軸１１５には前記伝動輪チャンバ１２１の中に位置するタイミングプーリ１３０が設けられ、前記タイミングプーリ１３０の間にはタイミングベルト１４６が動力が伝達できるように連結され、前記送り輪軸１１５には前記タイミングプーリ１３０のうち対称中心から離れている端に位置する纏わり輪１２２が設けられ、前記纏わり輪１２２と前記押しスライダ１１４との間には纏わりベルト１２７が固定的に連結され、前記送り輪軸１１５には前記洗浄チャンバ１１０の中に位置する送り輪１１６が設けられ、前記伝動輪チャンバ１２１のうち対称中心から離れている側の内壁には中間の前記送り輪軸１１５と動力が伝達できるように連結されることができる送り挟みモータ１２３が嵌め込むように設置され、前記上挟みブロックチャンバ１２０の上端にはスライドロッドチャンバ１１９が連通して設置され、前記スライドロッドチャンバ１１９の中にはスライドロッド１１８がスライドできるように係合連結され、前記スライドロッド１１８の下端末端には上挟みブロック１１７が設けられ、前記上挟みブロック１１７の上側と前記上挟みブロックチャンバ１２０の頂端内壁との間には第二ばね１４８が連結される。
【００１６】
有益的には、前記たたき部品は、前記上ウォームギヤチャンバ１０３の上端壁に嵌め込むように設置される作動モータ１０４を含み、前記作動モータ１０４の下側には上下に伸びており前記下ウォームギヤチャンバ１０２の中まで挿入するウォーム１１３が動力が伝達できるように連結され、前記クランク軸チャンバ１０８の中には左右に伸びており前記上ウォームギヤチャンバ１０３の中まで挿入するクランク軸１０６が回転できるように係合連結され、前記クランク軸１０６には前記ウォーム１１３と噛合連結されることができる上ウォームホイール１０５が設けられ、前記クランク軸１０６には前記クランク軸チャンバ１０８の中に位置するクランク軸回転ブロック１０７が回転できるように係合連結され、前記クランク軸回転ブロック１０７の下端面には前記クランク軸チャンバ１０８の中に位置するコネクティングロッド１４５が回転できるように係合連結され、前記クランク軸チャンバ１０８の底端の内壁には上下に伸びているたたきスライダ１０９がスライドできるように連結され、前記たたきスライダ１０９と前記コネクティングロッド１４５との間がヒンジにより連結される。
【００１７】
有益的には、前記洗い流し部品は、前記ギヤ伝動チャンバ１１１の中に回転できるように係合連結され、且つ、左右に伸びていて前記下ウォームギヤチャンバ１０２の中まで挿入する伝動軸１１２を含み、前記伝動軸１１２には前記ウォーム１１３と噛合連結できる下ウォームホイール１０１が設けられ、前記伝動軸１１２には前記ギヤ伝動チャンバ１１１の中に位置する駆動歯車が左右対称的に設けられ、前記ギヤ伝動チャンバ１１１のうち対称中心から離れている側の内壁には前記駆動歯車と噛み合って連結される回転盤１３８が回転できるように係合連結され、前記回転盤１３８のうち対称中心に近い側には凸ブロック１３７が固定的に連結され、前記ギヤ伝動チャンバ１１１の底端の内壁には前記洗浄箱１００とスライドできるように係合連結される流入ブロック１３１が設置され、前記流入ブロック１３１には流入引っ掛かりブロック１３２が連通して設置され、前記流入引っ掛かりブロック１３２の上端には流出ブロック１３５が連通して設置され、前記流出ブロック１３５のうち対称中心から離れている端面には固定ブロック１３６が固定的に連結され、前記固定ブロック１３６の中には前記凸ブロック１３７とスライドできるように係合連結される凸ブロックスライド溝１３４が設けられる。
【００１８】
本発明設備が初期状態において、前記作動モータ１０４と前記送り挟みモータ１２３とが作動しない状態であり、前記押しスライダ１１４が前記スライドチャンバ１４０の最下端に位置し、これによって初期状態の時に上記構成が初期位置に位置し、後続の作動過程において調整でき、設備の作動協調性を効果的に高めることができる。
【００１９】
設備が作動する時、絨毯を前記洗浄チャンバ１１０の前端入口、送り輪１１６の上方に置き、前記送り挟みモータ１２３が作動し、前記送り輪軸１１５を回転駆動させ、前記送り輪軸１１５に固定的に設置される前記タイミングプーリ１３０を回転させ、タイミングベルト１４６により前記送り輪１１６を同時に回転させ、絨毯を駆動して前から後ろへ設備に入らせ、同時に、中間の前記送り輪軸１１５が前記纏わり輪１２２を連動して回転させ、前記纏わりベルト１２７が前記纏わり輪１２２を纏わり続けるようにさせ、前記安定ブロック１２６が前記安定チャンバ１２５の中でスライドできるように連結されるため、前記纏わりベルト１２７が前記押しスライダ１１４を駆動して安定に上へスライドさせ、前記押しスライダ１１４が前記下押圧ブロック１３９を連動して前記洗浄チャンバ１１０の中で上へ移動させ、前記絨毯が後ろへ移動して適宜な位置まで移動する時、前記送り挟みモータ１２３が作動を停止し、この時、前記下押圧ブロック１３９の上端面と前記上挟みブロック１１７の下端面とがちょうど絨毯をしっかり挟み、前記作動モータ１０４が起動し、前記ウォーム１１３を回転駆動させ、前記ウォーム１１３と噛み合っている前記下ウォームホイール１０１を回転させ、前記伝動軸１１２を回転駆動させ、これによって前記伝動軸１１２が前記駆動歯車を連動して回転させ、前記駆動歯車が前記回転盤１３８を連動して回転させ、これによって前記凸ブロック１３７が前記凸ブロックスライド溝１３４の中で揺れ動き、前記流出ブロック１３５を駆動して前記ギヤ伝動チャンバ１１１の中で揺れ動かし、高圧水が前記流入ブロック１３１から前記流入引っ掛かりブロック１３２により前記洗浄チャンバ１１０に入り、前記流出ブロック１３５の上端から前記絨毯に噴出し、その同時に、前記作動モータ１０４が前記上ウォームホイール１０５を回転駆動させ、前記上ウォームホイール１０５が前記上ウォームホイール１０５と固定的に設置される前記クランク軸１０６を連動して回転させ、前記クランク軸１０６が前記クランク軸回転ブロック１０７を連動して前記クランク軸チャンバ１０８の中で回転させ、前記コネクティングロッド１４５の連動により、前記たたきスライダ１０９の下端を前記洗浄チャンバ１１０の中の絨毯の上側に中断せずにたたき、下へたたくことにより絨毯に絡んだゴミ等を絨毯から分離させる。
【００２０】
本発明の有益効果は：本発明設備は構成が簡単で、使用が便利で、使用する時、絨毯を設備の入口に置き、設備は自動的に絨毯を内部に搬送し、適宜な位置まで搬送すると絨毯をしっかり挟み、しっかり挟んだと同時に絨毯に対して洗い流しや叩き等の一連の操作を行い、絨毯の汚れ等を水流により落とし、洗浄完了後、設備が絨毯を設備の外まで搬送し、設備の安定性を効果的に増加する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。